(57)【特許請求の範囲】
【請求項１】
メカシャシと、
ディスク状の記録媒体への情報の記録および前記記録媒体に記録された情報の再生の少なくとも一方を行うピックアップと、
前記記録媒体を載置するターンテーブルを有し、前記記録媒体を回転させる回転駆動部と、
前記ピックアップおよび前記回転駆動部を支持する底部と、前記ターンテーブルが位置する側へ前記底部から立ち上がる立ち壁とを有し、前記立ち壁に設けられた回転軸を中心に回動可能なように前記メカシャシに支持されたピックアップ支持体と、
前記メカシャシに設けられており、前記ターンテーブルに前記記録媒体を載置し、前記ピックアップが記録または再生動作を行うことが可能な第１の位置および前記ターンテーブルが挿入または排出される前記記録媒体に接触しないように退避した第２の位置に前記ピックアップ支持体を駆動するピックアップ昇降部と、
前記ピックアップ支持体の立ち壁と前記メカシャシとの間に設けられたエラストマー体と、
を備え、
前記エラストマー体は輪形状を有し、前記輪形状の孔の中心軸は、前記ターンテーブルに載置された記録媒体と平行であり、かつ、前記ピックアップ支持体の回転軸と直交しているディスク装置。
【請求項２】
前記ピックアップ支持体の立ち壁は孔を有し、前記エラストマー体は、その外周が立ち壁の穴に嵌合するように、前記立ち壁に取り付けられており、前記メカシャシは、前記エラストマー体の前記輪形状の孔に挿入される支軸を有する請求項１に記載のディスク装置。
【請求項３】
前記ピックアップ支持体は、支持ピンを有し、前記ピックアップ昇降部は前記支持ピンを案内するカム形状を有する請求項２に記載のディスク装置。
【請求項４】
前記支持ピンは前記底部において、前記立ち壁と対向する辺に設けられている請求項３に記載のディスク装置。
【請求項５】
前記ピックアップは、前記支持ピンと前記立ち壁との間を結ぶ方向において移動可能なように前記底部上において支持されており、前記ピックアップと前記エラストマー体とは当接し得る請求項４に記載のディスク装置。
【発明の詳細な説明】
【技術分野】
【０００１】
本発明は、光ディスクや光磁気ディスク等のディスク状の記録媒体に情報を記録したり、記録媒体から情報を読み出したりするディスク装置に関する。
【背景技術】
【０００２】
光ディスクや光磁気ディスク等のディスク状の記録媒体に情報を記録したり、記録媒体から情報を読み出したりするディスク装置には、トレイを用いて記録媒体を装置内に装填したり、装置から記録媒体を排出させる機構を採用しているものがある。また、挿入口に記録媒体の一部分を挿入すると、記録媒体を引き込んで装填するスロットインと呼ばれる機構を備えたディスク装置も知られている。
【０００３】
こうしたディスク装置では、記録媒体や記録媒体を載置したトレイが装置に装填あるいは装置から排出する際、記録再生のためのピックアップやディスクを回転駆動させるためのターンテーブルがトレイやディスクと接触しないように、ピックアップおよびターンテーブルを昇降させる構造を備えている。
【０００４】
たとえば、特許文献１は、ピックアップを支持するピックアップ支持体（トラバースホルダ）に回転軸を設け、トラバースホルダを回転軸回りに揺動させることによって、ピックアップを昇降させる構造を開示している。
【０００５】
特許文献２は、ピックアップ支持体を装置内において板バネで支持し、板バネの弾性変形を利用してピックアップを昇降させる構造を開示している。
【０００６】
特許文献３は、ベースが４つの弾性体を介してピックアップ支持体（ディスク演奏部）を支持する構造を採用し、振動がピックアップ支持体に伝播しにくくするとともに、４つのうちの２つの弾性体を回動支点とし、ピックアップ支持体を昇降させることを提案している。
【特許文献１】特開２００３−２０８７４８号公報
【特許文献２】特開平１０−１１２１０４号公報
【特許文献３】特開平４−９８６４６号公報
【発明の開示】
【発明が解決しようとする課題】
【０００７】
しかしながら、これら従来のディスク装置では、ピックアップ支持体が回転軸あるいは回動支点の周りに揺動することによって昇降するため、ターンテーブルの移動する軌跡は円弧となる。このため、ターンテーブルにディスクを載置させる際の位置あわせ精度に誤差が生じやすくなる。また、ピックアップ支持体が上昇することによって、記録媒体をターンテーブルに確実に載置するために、ターンテーブルのセンタボスに設けるテーパをより大きくしたり、センタボスとディスクのセンタホールとの余裕を十分にとる必要が生じる。このことは、ターンテーブルに載置されたディスクのがたつきや位置あわせ精度が低下するという課題を引き起こす。
【０００８】
本発明はこのような従来技術の課題を解決し、簡単な構造を備え、精度良く記録媒体をターンテーブルに載置することが可能なピックアップ支持体を備えたディスク装置を提供する。
【課題を解決するための手段】
【０００９】
本発明のディスク装置は、メカシャシと、ディスク状の記録媒体への情報の記録および前記記録媒体に記録された情報の再生の少なくとも一方を行うピックアップと、前記記録媒体を載置するターンテーブルを有し、前記記録媒体を回転させる回転駆動部と、前記ピックアップおよび前記回転駆動部を支持する底部と、前記ターンテーブルが位置する側へ前記底部から立ち上がる立ち壁とを有し、前記立ち壁に設けられた回転軸を中心に回動可能なように前記メカシャシに支持されたピックアップ支持体と、前記メカシャシに設けられており、前記ターンテーブルに前記記録媒体を載置し、前記ピックアップが記録または再生動作を行うことが可能な第１の位置および前記ターンテーブルが挿入または排出される前記記録媒体に接触しないように退避した第２の位置に前記ピックアップ支持体を駆動するピックアップ昇降部とを備える。
【００１０】
ある好ましい実施形態において、ディスク装置は、前記ピックアップ支持体の立ち壁と前記メカシャシとの間に設けられたエラストマー体をさらに備える。
【００１１】
ある好ましい実施形態において、前記エラストマー体は輪形状を有し、前記輪形状の孔の中心軸は前記ターンテーブルに載置された記録媒体と平行である。
【００１２】
ある好ましい実施形態において、エラストマー体の前記輪形状の中心軸は、前記ピックアップ支持体の回転軸と直交している。
【００１３】
ある好ましい実施形態において、エラストマー体の前記輪形状の中心軸は、前記ピックアップ支持体の回転軸と平行である。
【００１４】
ある好ましい実施形態において、前記ピックアップ支持体の立ち壁は孔を有し、前記エラストマー体は、その外周が立ち壁の穴に嵌合するように、前記立ち壁に取り付けられており、前記メカシャシは、前記エラストマー体の前記輪形状の孔に挿入される支軸を有する。
【００１５】
ある好ましい実施形態において、前記ピックアップ支持体は、支持ピンを有し、前記ピックアップ昇降部は前記支持ピンを案内するカム形状を有する。
【００１６】
ある好ましい実施形態において、前記支持ピンは前記底部において、前記立ち壁と対向する辺に設けられている。
【００１７】
ある好ましい実施形態において、前記ピックアップは、前記支持ピンと前記立ち壁との間を結ぶ方向に置いて移動可能なように前記底部上において支持されており、前記ピックアップと前記エラストマー体とは当接し得る。
【００１８】
ある好ましい実施形態において、前記ピックアップ支持体の立ち壁は孔を有し、前記エラストマー体は、その外周が立ち壁の穴に嵌合するように、前記立ち壁に取り付けられており、前記メカシャシは、前記エラストマー体の前記輪形状の孔に挿入される支軸を有する。
【００１９】
ある好ましい実施形態において、前記ピックアップ支持体は、支持ピンを有し、前記ピックアップ昇降部は前記支持ピンを案内するカム形状を有する。
【００２０】
ある好ましい実施形態において、ディスク装置は、前記メカシャシを収納する外装筐体と、前記メカシャシと前記外装筐体内との間に設けられた他のエラストマー体とをさらに備え、前記エラストマー体の固有振動周波数は、前記他のエラストマー体の固有振動周波数とは異なっている。
【００２１】
ある好ましい実施形態において、前記ピックアップ支持体が前記第1の位置にあるとき、前記ターンテーブルの記録媒体を支持する面と前記回転軸の前記記録媒体の垂直な方向における距離は３ｍｍ以下である。
【発明の効果】
【００２２】
本発明のディスク装置によれば、ピックアップ支持体にターンテーブルが位置する側へ立ち上がる立ち壁を形成し、立ち壁にピックアップ支持体の回転軸を設けることによって、センタボスと記録媒体のセンタホールとの位置あわせの余裕を小さくし、よりがたつきなく、高い位置合わせ精度でターンテーブルに記録媒体を載置することが可能となる。
【発明を実施するための最良の形態】
【００２３】
（第1の実施形態）
以下、図１から図９を参照しながら本発明によるディスク装置の第1の実施形態を説明する。
【００２４】
図１はディスク装置５０１の主要部を示す分解斜視図である。
【００２５】
ディスク装置５０１は、ピックアップ１００と、メカシャシ２２０と、回転駆動部２５０と、ピックアップ支持体１１０と、ピックアップ昇降部２３０とを備える。
【００２６】
ピックアップ１００は、ディスク状の記録媒体１０へ情報の記録を行い、または、記録媒体１０に記録された情報の再生を行う。情報の記録や再生は、光学的に行ってもよいし、光磁気的に行ってもよい。たとえば、記録媒体１０はＣＤ、ＤＶＤ、ＢＤなどである。この場合、ピックアップ１００は対物レンズ１０１を含み、対物レンズ１０１から記録媒体１０の種類に応じた波長の光を出射する。また、記録媒体１０において反射した光を対物レンズ１０１を介して受け取る。ピックアップ１００は、少なくとも記録動作または再生動作の一方を行うことができればよい。
【００２７】
ピックアップ１００には、以下において説明するように、ストッパ１０２が設けられている。また、ピックアップ１００には、図示しない信号処理部や、ピックアップの位置を制御する駆動部との間で情報を受け渡しするためにフレキシブルプリント基板（ＦＰＣ）１３０が接続されている。
【００２８】
回転駆動部２５０は、スピンドルモータ１５０およびターンテール１５１を含む。ターンテーブル１５１は記録媒体１０を載置し、スピンドルモータ１５０がターンテーブル１５１を回転することによって、記録媒体１０が回転駆動される。ターンテーブル１５１には、記録媒体１０のセンタホールが挿入されるセンタボス１５１ｃが設けられている。
【００２９】
ピックアップ支持体１１０は、ピックアップ１００および回転駆動部２５０を支持する底部１１０ｆと、ターンテーブル１５１が位置する側へ底部１１０ｆから立ち上がる立ち壁１１０ａとを有する。
【００３０】
底部１１０ｆには、記録媒体１０の内周側と外周側との間でピックアップ１００を矢印Ｘ１またはＸ２の方向へ移動させるためのガイドとして機能する主軸１３０および副軸１２０が設けられている。ピックアップ１００は、主軸１３０および副軸１２０によって矢印Ｘ１またはＸ２の方向に移動可能なようにピックアップ支持体１１０に支持される。また、駆動部２１０も底部１１０ｆによって支持される。
【００３１】
立ち壁１１０ａは、ターンテーブル１５１が位置する側へ底部１１０ｆから立ち上がるように設けられている。底部１１０ｆと立ち壁１１０ａとのなす角度はおおよそ９０度であることが好ましく、具体的には、８０度から１００度の範囲の角度であることが好ましい。立ち壁１１０ａは、底部１１０ｆと一体的に形成されていてもよいし、立ち壁１１０ａを底部１１０ｆとは別の部材として形成し、ターンテーブル１５１が位置する側へ底部１１０ｆから立ち上がるように立ち壁１１０ａを底部１１０ｆに接合してもよい。
【００３２】
ピックアップ１００が移動する方向Ｘ１、Ｘ２において、立ち壁１１０ａと対向するように昇降支持ピン１１０ｂが底部１１０ｆに設けられている。つまり、支持ピン１１０ｂと立ち壁１１０ａとを結ぶ方向とピックアップ１００が移動する方向とは概ね一致している。またピックアップ支持体１１０の底部１１０ｆには位置決めピン１４０が設けられている。位置決めピン１４０は、回転駆動部のターンテーブル１５１の近傍において、ターンテーブル１５１に対して高い位置精度で配置されている。
【００３３】
ピックアップ支持体１１０は、立ち壁１１０ａに設けられた回転軸１１０ｘを中心に回動可能なようにメカシャシ２２０に支持される。ピックアップ支持体１１０の回転軸１１０ｘ周りの回動は、ピックアップ昇降部２３０による駆動によって行われる。具体的には、ピックアップ昇降部２３０は、ターンテーブル１５１に記録媒体１０を載置し、ピックアップ１００が記録または再生動作を行うことが可能な第１の位置、および、ターンテーブル１５１が挿入または排出される記録媒体１０に接触しないように退避した第２の位置にピックアップ支持体１１０を駆動する。
【００３４】
本実施形態では、ピックアップ昇降部２３０は、メカシャシ２２０に設けられており、カム２３０ｂを備えている。カム２３０ｂは、昇降支持ピン１１０ｂと接触している。図１に示すようにピックアップ昇降部２３０がＹ１およびＹ２の方向へ移動すると、昇降支持ピン１１０ｂがカム２３０ｂに沿って記録媒体１０と垂直な方向へ移動する。これにより、ピックアップ支持体１１０が第１の位置または第２の位置に駆動される。ピックアップ昇降部２３０は、ラックピニオンギア構成などの他の機構によってピックアップ支持体１１０を駆動してもよい。
【００３５】
ディスク装置５０１は、好ましくは、ピックアップ支持体１１０の立ち壁１１０ａとメカシャシ２２０との間に設けられたエラストマー体１６０を備える。エラストマー体１６０は、ゴムその他の高弾性を有する物質からなる。より好ましくは、エラストマー体１６０は輪形状を有している。図１に示すように、ピックアップ支持体１１０の立ち壁１１０ａには、回転軸１１０ｘ上に中心を持つ１対の孔１１０ｃが設けられており、エラストマー体１６０は、その外周が孔１１０ｃにそれぞれ嵌合され固定されている。エラストマー体１６０の輪形状の孔１６０ａは本実施形態では回転軸１１０ｘと直交している。エラストマー体１６０の孔１６０ａには、メカシャシ２２０に設けられた一対の支持軸２２０ａがそれぞれ嵌合されている。
【００３６】
図２は、ピックアップ支持体１１０が上昇し、ターンテーブル１５１に記録媒体１０が載置され、ピックアップが記録再生動作を行うことのできる第１の位置にある状態を示している。ピックアップ支持体１１０が第１の位置にある状態では、底部１１０ｆに設けられた位置決めピン１４０は、以下において説明するトレイ４００に設けられた位置決め穴４００ａと嵌合する。
【００３７】
次に、図３および図４を参照しながら、ディスク装置５０１の動作を説明する。
【００３８】
図３および図４はスピンドルモータ１５０および対物レンズ１０１の中心を通るディスク装置５０１の断面図である。図３はピックアップ支持体１１０が退避した第２の位置にある状態を示し、図４は記録再生が可能な第１の位置にある状態をそれぞれ示している。図３および図４に示すように、ディスク装置５０１は、好ましくは、外装筐体３２０をさらに備え、メカシャシ２２０がエラストマー体２６０を介して外装筐体３２０の支軸３２０ａに取り付けられている。
【００３９】
エラストマー体２６０の固有振動周波数は、エラストマー１６０の固有振動周波数と異なっていることが好ましい。これにより、記録または再生動作中、外部からの振動が回転中の記録媒体１０に伝播したり、記録媒体１０の回転による振動が、外部へ漏れ伝わるのを抑制することができる。
【００４０】
図３に示すようにピックアップ支持体１１０が退避した第２の位置において、記録媒体１０の装填が行われる。ディスク装置５０１の外部へ排出されたトレイ４００にユーザが記録媒体１０を載置し、プレイボタンや記録媒体の挿入ボタンを押すと、記録媒体１０の載置されたトレイ４００が矢印Ｘ１で示されるように、ディスク装置５０１内に挿入される。
【００４１】
このとき、ピックアップ支持体１１０は、ターンテーブル１５１がトレイ４００や記録媒体１０と干渉しないように、退避した第２の位置にある。この状態では、エラストマー体１６０は、ピックアップ支持体１１０の立ち壁１１０ａとメカシャシ２２０の支軸２２０ａとの間で弾性変形しながら、ピックアップ支持体１１０を傾斜させた状態で支持する。
【００４２】
トレイ４００の挿入が進み、ターンテーブル１５１のセンタボス１５１ｃと、トレイ４００に載置された記録媒体１０のセンタホール１０ｃとが一致する位置までトレイ４００が挿入されると、トレイ４００の挿入が完了する。
【００４３】
次に、ピックアップ昇降部２３０（図１）により、昇降支持ピン１１０ｂが矢印Ｚ１の方向に移動させられる。これにより、ピックアップ支持体１１０が上昇するように、回転軸１１０ｘを中心に回転し、図４に示すような水平の状態になる。このとき、ピックアップ支持体１１０の位置決めピン１４０がトレイ４００の位置決め穴４００ａに、位置決めピン１４０の先端に設けられた傾斜部でガイドされながら嵌合する。これにより、トレイ４００に対してピックアップ支持体１１０が位置決めされる。
【００４４】
位置決めピン１４０は、回転駆動部のターンテーブル１５１に対して高い位置精度で設けられている。したがって、ピックアップ支持体１１０上の端テーブル１５１は、トレイ４００に載置された記録媒体１０に対して位置あわせされた状態にあり、ターンテーブル１５１のセンタボス１５１ｃが記録媒体１０のセンタホール１０ｃに挿入され、トレイ４００上のディスク１０を精度良くターンテーブル１５１上に確実に載置することができる。つまり、記録媒体１０のチャッキングミスが発生しにくい。
【００４５】
記録媒体１０がターンテーブル１５１に載置されると、ピックアップ１００によって記録再生動作が開始される。
【００４６】
記録媒体１０をディスク装置５０１から排出する場合には、ユーザが排出ボタンを押すなどの指令に基づき、ピックアップ昇降部がピックアップ支持体１１０を第２の位置へ駆動する。ピックアップ支持体１１０が下降する際、ターンテーブル１５１から記録媒体１０が脱離する。ピックアップ支持体１１０の第２の位置へ移動が完了したら、記録媒体１０を伴ってトレイ４００が排出される。
【００４７】
上述の動作中、ピックアップ支持体が第１の位置にあり、記録媒体１０がターンテーブル１５１に載置された状態において、ピックアップ支持体１１０は、位置決めピン１４０とトレイの位置決め穴４００ａとの嵌合によって、矢印Ｘ１（Ｘ２）および矢印Ｙ１（Ｙ２）の方向において、メカシャシ２２０に対して位置ずれが生じる可能性がある。
【００４８】
図５はピックアップ支持体１１０が第１の位置にある場合において、ピックアップ支持体１１０とメカシャシ２２０とを上方から見た平面図である。ピックアップ支持体１１０がメカシャシ２２０に対して、破線１１０ｍで示す正規の位置からシフトした位置において、位置決めピン１４０とトレイの位置決め穴４００ａとが嵌合している。この場合、矢印Ｙ１方向の位置ずれは、エラストマー１６０が弾性変形し、メカシャシ２２０に対して、ピックアップ支持体１１０を斜めに保持することによって、吸収される。また、矢印Ｘ２方向の位置ずれは、エラストマー体１６０がメカシャシ２２０の支軸２２０ａに対しその軸方向（矢印Ｘ２方向）にずれることで、ピックアップ支持体１１０に無理な力をかけることなく吸収することができる。これらと逆方向のずれ（矢印Ｙ２方向およびＸ１方向）についてもエラストマー体１６０の弾性変形によって同様の効果を得ることができる。
【００４９】
上述したように本実施形態では、ピックアップ支持体１１０の回転軸が、立ち壁１１０ａに設けられている。このため、特に、精度良く記録媒体１０をターンテーブル１１に載置することができる。このことを図６Ａおよび６Ｂを参照して説明する。
【００５０】
図６Ａは、ピックアップ支持体１１０が回転軸１１０ｘを中心に回動する場合におけるターンテーブル１５１のセンタボス１５１ｃの軌跡を模式的に示している。また、図６Ｂは、従来のディスク装置におけるピックアップ支持体の回動に伴うターンテーブルのセンタボスの軌跡を模式的に示している。
【００５１】
図６Ａに示すように、本実施形態では、ピックアップ支持体１１０の回転軸１１０ｘは立ち壁１１０ａに設けられている。立ち壁１１０ａはターンテーブル１５１が位置する側に立ち上がっているため、トレイ４００に載置された記録媒体１０に対して上昇するターンテーブル１５１のセンタボス１５１ｃは、記録媒体１０と垂直な方向において、記録媒体１０と近接した位置を中心とする円弧を描く。このため、センタボス１５１ｃが通過する軌跡は、記録媒体１０のセンタホール１０ｃ近傍において記録媒体１０に対してほぼ垂直となる。
【００５２】
これに対し、従来のディスク装置では、ピックアップ支持体１１０’の回転軸１１０ｘ’は、トレイ４００に載置された記録媒体１０から記録媒体１０と垂直な方向において離れている。このため、記録媒体１０のセンタホール１０ｃをセンタボス１５１ｃが通過する軌跡は記録媒体１０に対して斜めになる。
【００５３】
このことは、本実施形態においては、センタボス１５１ｃが上昇してくる場合のセンタホール１０ｃとセンタボス１５１ｃとの位置あわせのマージンＭ１が従来の場合に必要なマージンＭ２に比べて小さくて済むことを意味している。つまり、本実施形態によれば、従来に比べて、センタボスと記録媒体のセンタホールとの余裕を小さくし、よりがたつきなく、高い位置合わせ精度でターンテーブルに記録媒体を載置することが可能となる。
【００５４】
このマージンの大きさは、ターンテーブルに記録媒体を載置させる際の誤動作にも影響する。本実施形態によれば、センタホール１０ｃとセンタボス１５１ｃとの位置あわせのマージンＭ１が小さくてよいので、図７に示すように、ターンテーブル１５１のセンタボス１５１ｃに、記録媒体１０のセンタホールを誘い込むためのテーパ１５１ｓの角度θも大きくとる必要がない。したがって、テーパ１５１ｓが比較的急であるため、記録媒体の誘い込みを滑らかに行うことができる。
【００５５】
これに対し、従来のディスク装置では、マージンＭ２が大きいため、角度θを大きくとる必要がある。しかし、あまり、角度θが大きくなると、テーパ１５１ｓに記録媒体１０のセンタホール１０ｃの周囲が当接しても、滑らかに記録媒体の誘い込みができず、最悪の場合、ターンテーブルに記録媒体を載置させることができないという問題が生じる。
【００５６】
このような本実施形態の効果を得るためには、図４に示すように、ターンテーブル１５１に記録媒体１０が載置された第１の位置にピックアップ支持体１１０がある場合において、ターンテーブル１５１の記録媒体１０を支持する面とピックアップ支持体１１０の回転軸１１０ｘとの記録媒体１０の垂直な方向における距離ｄは、小さいほうが好ましい。具体的には、記録媒体の直径が１２ｃｍである場合、距離ｄは、３ｍｍ以下であることが好ましい。距離ｄがこの範囲を満たす限り、回転軸は、ターンテーブル面に対して上方に位置していてもよいし、下方に位置していてもよい。
【００５７】
また、本実施形態では、ピックアップ支持体１１０を底部および立ち壁によって形成し、立ち壁１１０ａに回転軸を設けている。したがって、ピックアップ支持体の主として奥行き方向のスペースを低減することができ、小型のディスク装置やディスクドライブを実現することができる。
【００５８】
さらに、エラストマー体１６０を介して立ち壁１１０ａをメカシャシに支持させ、回転軸とすることによって、ピックアップ支持体１１０の位置ずれをエラストマー体１６０に吸収させることが可能となり、滑らかな動作が実現する。
【００５９】
次に、ストッパ１０２の機能を説明する。図８は、ピックアップ支持体１１０が第１の位置にある状態において、ピックアップ１００が記録媒体１０の外周側（矢印Ｘ１方向）に最も移動した状態を示す断面図であり、図９は同じ状態のピックアップ支持体１１０を示す斜視図である。図８および図９に示すようにピックアップ１００に設けた左右一対のストッパ１０２がエラストマー体１６０に当接している。
【００６０】
ピックアップ１００は工場出荷時を含め非動作時はディスク１０の内周側に位置している。この状態でディスク装置が矢印Ｘ１方向へ落下すると、ピックアップ１００は矢印Ｘ１方向に移動し、通常のディスク装置であればディスク装置の落下衝撃加速度よりも大きな加速度でメカシャシに衝突する。しかしながら、本実施形態のディスク装置においては、矢印Ｘ１方向に移動したピックアップ１００はエラストマー体１６０によって軟らかく受け止められる。このため、ピックアップ１００にかかる落下衝撃加速度を大幅に減じることが可能となり、落下によってディスク装置が故障する可能性を低減することができる。
【００６１】
このように、本実施形態によれば、ピックアップ支持体にターンテーブルが位置する側へ立ち上がる立ち壁を形成し、立ち壁にピックアップ支持体の回転軸を設けることによって、センタボスと記録媒体のセンタホールとの位置あわせの余裕を小さくし、よりがたつきなく、高い位置合わせ精度でターンテーブルに記録媒体を載置することが可能となる。
【００６２】
また、ピックアップ支持体の回転軸を立ち壁に設けることによって、ピックアップの移動スペースの上方に回転軸を構成する構造を配置でき、ピックアップ支持体の主として奥行き方向のスペースを低減することができる。
【００６３】
さらに、落下時にピックアップを円環状の弾性体と衝突させる構成とすることにより、落下時の衝撃加速度を減らしピックアップを保護することができる。
【００６４】
（第２の実施形態）
以下、図１０および図１１を参照しながら、本発明によるディスク装置の第２の実施形態を説明する。
【００６５】
図１０はディスク装置５０２の主要部を上方から見た平面図である。
【００６６】
図１０において、第１の実施形態と同じ構成要素は、同じ参照符号を付している。ディス装置５０２は回転駆動部、ピックアップ１００、ピック支持体２１０およびメカシャシ２１０を備えている。ディスク装置５０２において、ピック支持体２１０の立ち壁の位置が第１の実施形態とは異なっている。具体的には、ピック支持体２１０は、回転駆動部およびピックアップ１００を支持する底部２１０ｆと、一対の立ち壁２１０ａを含む。
【００６７】
立ち壁２１０ａは、ピックアップ１００の移動する方向に対して横切る方向に互いに対向するように底部２１０ｆから立ち上がっている。図１１は立ち壁２１０ａの側面図である。
【００６８】
第１の実施形態と同様、立ち壁２１０ａには孔２１０ｃが設けられており、輪形状を有するエラストマー体１６０がその外周が孔２１０ｃに嵌合するように立ち壁２１０ａに取り付けられている。エラストマー体１６０の輪形状の孔の中心軸は、ピックアッ１００の移動する方向と直交している。また、ピックアップ支持体２１０の回転軸２１０ｘは、エラストマー体１６０の輪形状の孔１６０ｃの中心軸と平行である。
【００６９】
メカシャシ２２０は、回転軸２１０ｘと平行に伸びた一対の回動支軸２２０ｂを有し、エラストマー体１６０の孔１６０ｃに挿入され、嵌合している。
【００７０】
ピックアップ支持体２１０は、エラストマー体１６０の輪形状の外周もしくは内周で立ち壁２１０ｂもしくはメカシャシ２２０の回動支軸２２０ｂと滑りながら回転して上に持ち上げられ、図４と同様に第１の位置へ駆動される。
【００７１】
このときピックアップ支持体２１０はエラストマー体１６０の中心軸とおおむね同軸の回転軸２１０ｙを中心にして回転する。また図４と同様、ピックアップ支持体２１０の位置決めピン１４０はトレイ４００の位置決め穴４００ａに嵌合し、トレイ４００に対してピックアップ支持体２１０が位置決めされる。位置決めピン１４０は、ターンテーブル１５１の近傍においてターンテーブル１５１に対して高い位置精度でピックアップ支持体の底部２１０ｆに設けられている。このため、トレイ４００上の記録媒体１０を精度良くターンテーブル１５１上に載置することができる。
【００７２】
この時、ピックアップ支持体２１０は位置決めピン１４０と位置決め穴によって、矢印Ｙ１（Ｙ２）の方向に多少シフトして位置決めされる可能性がある。このため、ピックアップ支持体２１０のメカシャシ２２０に対する位置のずれが発生する。図１０において、ピックアップ支持体２１０の正規の位置を破線２１０ｍとして示すと、矢印Ｙ１方向の位置ずれはエラストマー体１６０が弾性変形してピックアップ支持体２１０を斜めに位置することを許容することで、ピックアップ支持体２１０に無理な力をかけることなく吸収することができる。これらと逆方向のずれ（矢印Ｙ２方向）についても同様の効果が得られる。
【００７３】
また、立ち壁２１０ａに回転軸２１０ｘを設けているため、ターンテーブル面と回転軸２１０ｘとの記録媒体１０と垂直な方向における距離を小さくすることができる。このため、センタボス１５１ｃが上昇してくる場合の記録媒体１０のセンタホール１０ｃとセンタボス１５１ｃとの位置あわせに必要な余裕を小さくし、よりがたつきなく、高い位置合わせ精度でターンテーブルに記録媒体を載置することが可能となる。
【００７４】
このように、本実施形態によれば、第１の実施形態と同様、ピックアップ支持体にターンテーブルが位置する側へ立ち上がる立ち壁を形成し、立ち壁にピックアップ支持体の回転軸を設けることによって、センタボスと記録媒体のセンタホールとの位置あわせの余裕を小さくし、よりがたつきなく、高い位置合わせ精度でターンテーブルに記録媒体を載置することが可能となる。
【００７５】
また、ピックアップ支持体の回転軸を立ち壁に設けることによって、ピックアップの移動スペースの上方に回転軸を構成する構造を配置でき、ピックアップ支持体の主として奥行き方向のスペースを低減することができる。
【００７６】
なお、上記第１および第２の実施形態では、記録媒体はトレイによってディスク装置内へ装填され、また、ディスク装置から排出される。しかし、本発明は、トレイを用いず記録媒体を直接挿入するスロットインタイプのディスク装置にも好適に用いることができる。この場合、位置決め穴は、記録媒体をディスク装置内に引き込むローディング機構に設けたり、ローディング機構により引き込まれた記録媒体の位置を規定する構造に近接して設けてもよい。
【産業上の利用可能性】
【００７７】
本発明は、光ディスクや光磁気ディスク等のディスク状の記録媒体に情報を記録したり、記録媒体から情報を読み出したりする種々のディスク装置に好適に用いられる。
【図面の簡単な説明】
【００７８】
【図１】本発明によるディスク装置の第１の実施形態であって、主要部を示す斜視図である。
【図２】図１のピックアップ支持体とトレイとの位置関係を示す斜視図である。
【図３】図１のディスク装置において、ピックアップ支持体が退避した位置にある状態を示す断面図である。
【図４】図１のディスク装置において、ピックアップ支持体が上に持ち上げられた状態を示す断面図である。
【図５】図４に示す状態のディスク装置を上方から見た平面図である。
【図６Ａ】図１のディスク装置において、ピックアップ支持体が回動することによってターンテーブルのセンタボスが移動する軌跡を示す図である。
【図６Ｂ】従来のディスク装置において、ピックアップ支持体が回動することによってターンテーブルのセンタボスが移動する軌跡を示す図である。
【図７】ターンテーブルの断面図である。
【図８】図１のディスク装置において、ピックアップが最外周に移動した状態を示す断面図である。
【図９】図８の状態にあるディスク装置の斜視図である。
【図１０】本発明によるディスク装置の第２の実施形態であって、主要部を示す斜視図である。
【図１１】図１０のディスク装置の立ち壁を示す側面図である。
【符号の説明】
【００７９】
１０    記録媒体
１００    ピックアップ
１０２    ストッパ
１１０、２１０    ピックアップ支持体
１１０ｘ、２１０ｘ    回転軸
１１０ａ、２１０ｂ    立ち壁
１４０    位置決めピン
１５１    ターンテーブル
１６０、２６０    エラストマー弾性体
２２０    メカシャシ
２３０    ピックアップ昇降部
【図１】
0004317574.tif 000002
【図２】
0004317574.tif 000003
【図３】
0004317574.tif 000004
【図４】
0004317574.tif 000005
【図５】
0004317574.tif 000006
【図６Ａ】
0004317574.tif 000007
【図６Ｂ】
0004317574.tif 000008
【図７】
0004317574.tif 000009
【図８】
0004317574.tif 000010
【図９】
0004317574.tif 000011
【図１０】
0004317574.tif 000012
【図１１】
0004317574.tif 000013